(57)【要約】【目的】  分離手段である開口を工夫することでクロストーク及びモアレの発生を低減することができる映像表示装置を提供する。【構成】  ４眼式立体映像表示装置の場合、最小単位映像グループである４つの映像（画素）「映像（１）映像（２）映像（３）映像（４）」が画面の水平方向に繰り返し並んでおり、この最小単位映像グループは行毎に一画素ずつ横方向にずれて存在している。前記最小単位映像グループの横方向のずれに対応して開口１の幅を規定する縁部が斜めに形成され、且つ前記開口１は各行の最小単位映像グループに跨がって連続形成され、前記縁部は一直線に存在する。【選択図】        図１
2005086506.tif 000002
【特許請求の範囲】
【請求項１】
画面に表示された互いに異なる映像を分離手段である開口にて分離する映像表示装置において、前記異なる映像の表示を担う最小単位映像グループは行毎に一画素ずつ横方向にずれて存在し、このずれに対応して前記開口の幅を規定する縁部が斜めに形成され、且つ前記開口は各行の最小単位映像グループに跨がって連続形成され、前記縁部は一直線に存在することを特徴とする映像表示装置。
【請求項２】
請求項１に記載の映像表示装置において、前記縁部の傾きをθとし、垂直画素ピッチをＰｖとし、水平画素ピッチをＰｈとすると、
Ｔａｎθ＝Ｐｈ／Ｐｖ
に設定されたことを特徴とする映像表示装置。
【請求項３】
請求項１又は請求項２に記載の映像表示装置において、前記最小単位映像グループは複数視点映像から成り、且つ視点並び順に並ぶことを特徴とする映像表示装置。
【請求項４】
請求項１乃至請求項３のいずれかに記載の映像表示装置において、前記開口の幅が水平画素ピッチに一致していることを特徴とする映像表示装置。
【発明の詳細な説明】
【技術分野】
【０００１】
この発明は、観察者に立体視させたり複数の観察者に異なる映像を見せたりするのに利用される映像表示装置に関する。
【背景技術】
【０００２】
従来より、特殊な眼鏡を必要とせずに立体映像表示を実現する方法しとて、パララックスバリア方式やレンチキュラーレンズ方式等が知られているが、これらの方式は両眼視差を有する右眼用映像と左眼用映像とを、例えば縦ストライプ状に画面に交互に表示し、この表示映像をパララックスバリアやレンチキュラーレンズ等で分離して観察者の右眼と左眼に各々導くことで立体視を行わせるものである。
【０００３】
図３は４眼式立体視方式の立体映像表示装置の原理を例示した説明図である。画面１１の水平方向に両眼視差を有する映像（１）と映像（２）と映像（３）と映像（４）とが所定ピッチで並び、この「映像（１）映像（２）映像（３）映像（４）」の最小単位映像グループが繰り返し存在している。パララックスバリア１２の各開口１２ａは各最小単位映像グループに対応して存在し、各最小単位映像グループである「映像（１）映像（２）映像（３）映像（４）」を分離して観察者に与える。これにより、観察者は立体視が行なえることになる。
【０００４】
図４は、４つの異なる映像をそれぞれ異なる観察者に見せる映像表示装置の原理を例示した説明図である。この映像表示装置も図３に示した立体映像表示装置と同様に、画面１１とパララックスバリア１２とから成る。パララックスバリア１２の各開口１２ａは各最小単位映像グループである「映像（１）映像（２）映像（３）映像（４）」を分離して観察者に与える。これにより、各観察者は互いに異なる映像を見ることになる。
【０００５】
なお、同一映像を縦方向の画素を利用して表示する場合には、パララックスバリア１２の開口１２ａは、図５に示すように、一般に縦ストライプ状に形成される。また、同一映像を縦方向の画素を利用して表示する場合には、パララックスバリアの開口を斜め方向に並べる方法もある（特許文献１参照）。
【特許文献１】特許第３０９６６１３号
【発明の開示】
【発明が解決しようとする課題】
【０００６】
ところで、観察者の眼に画素からの光が開口１２ａを介して与えられるとき、図６の（ａ）に示すように、画素全体の光が与えられる状態と、同図の（ｂ）に示すように非画素部が見えてしまう状態とが存在し、前者明部と後者暗部の混在が観察者に対してモアレを感じさせてしまうことになる。
【０００７】
前記モアレを低減するためには、図７に示しているように、開口１２ａを大きくすればよい。大きな開口１２ａであれば、同図（ａ）（ｂ）（ｃ）に示すように、画素と開口１２ａとの位置関係が変化しても、略同じ光量が観察者の眼に導かれることになるため、明部と暗部の差が低減されてモアレは軽減される。しかしながら、大きな開口１２ａを採用すると、クロストークを招来してしまう。特に、画素ピッチが０．０４ｍｍ程度の画面（ディスプレイ）では、モアレ低減のために開口１２ａの幅を０．０８ｍｍ程度とすることが必要になり、このような画素に対して相対的に大きな開口ではクロストークが非常に多くなる。また、図７に示した開口１２ａでは、同図（ａ）乃至（ｃ）の間で回折の仕方が変わるため、モアレを十分に低減することができない。
【０００８】
この発明は、上記の事情に鑑み、分離手段である開口を工夫することでクロストーク及びモアレの発生を低減することができる映像表示装置を提供することを目的とする。
【課題を解決するための手段】
【０００９】
この発明の映像表示装置は、上記の課題を解決するために、画面に表示された互いに異なる映像を分離手段である開口にて分離する映像表示装置において、前記異なる映像の表示を担う最小単位映像グループは行毎に一画素ずつ横方向にずれて存在し、このずれに対応して前記開口の幅を規定する縁部が斜めに形成され、且つ前記開口は各行の最小単位映像グループに跨がって連続形成され、前記縁部は一直線に存在することを特徴とする。
【００１０】
上記の構成であれば、開口と画素との相対位置変化による明るさの変化が滑らかになり、また、光の回折の影響が平均化されて殆どなくなり、クロストークを防止しつつモアレを軽減することができる。
【００１１】
前記縁部の傾きをθとし、垂直画素ピッチをＰｖとし、水平画素ピッチをＰｈとすると、Ｔａｎθ＝Ｐｈ／Ｐｖに設定されているのがよい。
【００１２】
また、これら構成の映像表示装置において、前記最小単位映像グループは複数視点映像から成り、且つ視点並び順に並ぶのがよい。また、前記開口の幅が水平画素ピッチに一致しているのがよい。
【発明の効果】
【００１３】
この発明によれば、開口と画素との相対位置変化による明るさの変化が滑らかになり、また、光の回折の影響が平均化されて殆どなくなり、クロストークを防止しつつモアレを軽減することができるという効果を奏する。
【発明を実施するための最良の形態】
【００１４】
以下、この発明の実施形態の映像表示装置を図１及び図２に基づいて説明していく。なお、映像表示装置の全体構成は従来項で述べた図３や図４の構成を採用できるものであり、説明の重複による冗長をさけるため、全体構成の説明については省略している。
【００１５】
図１に示す４眼式構成においては、最小単位映像グループである４つの映像（画素）「映像（１）映像（２）映像（３）映像（４）」が画面の水平方向に繰り返し並んでおり、この最小単位映像グループは行毎に一画素ずつ横方向にずれて存在している。立体視用映像表示装置とする場合は、前記最小単位映像グループは複数視点映像から成り、上記のごとく視点並び順（１，２，３，４の順）に並ぶこととなる。前記最小単位映像グループの横方向のずれに対応して開口（映像分離手段）１の幅を規定する縁部が斜めに形成され、且つ前記開口１は各行の最小単位映像グループに跨がって連続形成され、前記縁部は一直線に存在する。すなわち、行毎に一画素ずつ横方向にずれて存在する複数の最小単位映像グループに対応して、一つの斜めストライプ状の開口１が形成されている。そして、前記縁部の垂直線に対する傾きをθとし、垂直画素ピッチをＰｖとし、水平画素ピッチをＰｈとすると、Ｔａｎθ＝Ｐｈ／Ｐｖとなるように設定している。更に、開口１の幅が水平画素ピッチ（Ｐｈ）に一致するように構成している。
【００１６】
図２（ａ）に示す４眼式構成においても同様に、最小単位映像グループである４つの映像（画素）「映像（１）映像（２）映像（３）映像（４）」が画面の水平方向に繰り返し並んでおり、この最小単位映像グループは行毎に一画素ずつ横方向にずれて存在している。立体視用映像表示装置とする場合は、前記最小単位映像グループは複数視点映像から成り、上記のごとく視点並び順（１，２，３，４の順）に並ぶこととなる。前記最小単位映像グループの横方向のずれに対応して開口（映像分離手段）１の幅を規定する縁部が斜めに形成され、且つ前記開口１は各行の最小単位映像グループに跨がって連続形成され、前記縁部は一直線に存在する。そして、前記縁部の傾きをθとし、垂直画素ピッチをＰｖとし、水平画素ピッチをＰｈとすると、Ｔａｎθ＝Ｐｈ／Ｐｖとなるように設定している。更に、開口１の幅が水平画素ピッチ（Ｐｈ）に一致するように構成している。
【００１７】
図１の構成においては、どの位置でも画素が開口１の縁からはみ出ることになる画素幅を有するのに対し、図２（ａ）の構成では、適当な位置で画素が開口１の縁からはみ出ないこととなる画素幅を有しており、更にクロストークが軽減されたものとなっている。ここで、図２（ｂ）に示すように、画素の開口高さをＶとし、適当な位置で画素が開口１の縁からはみ出ないこととなる画素の開口幅をＨとすると、Ｈ＝Ｐｈ×（Ｐｖ−Ｖ）／Ｐｖとなる。
【図面の簡単な説明】
【００１８】
【図１】この発明の実施形態を示す図であって、映像表示装置における映像配列及び分離手段の開口を示した説明図である。
【図２】この発明の実施形態を示す図であって、同図（ａ）は映像表示装置における映像配列及び分離手段の開口を示した説明図であり、同図（ｂ）は開口と画素寸法とを示した説明図である。
【図３】４眼式立体映像表示装置を示した説明図である。
【図４】４つの異なる映像を観察者にそれぞれ導くことができる映像表示装置を示した説明図である。
【図５】従来の画面上の画素並びと開口との関係を示した説明図である。
【図６】従来の画面上の画素並びと開口との関係を示した説明図である。
【図７】従来の画面上の画素並びと開口との関係を示した説明図である。
【符号の説明】
【００１９】
１    開口
【図１】
2005086506.tif 000003
【図２】
2005086506.tif 000004
【図３】
2005086506.tif 000005
【図４】
2005086506.tif 000006
【図５】
2005086506.tif 000007
【図６】
2005086506.tif 000008
【図７】
2005086506.tif 000009